(57)【要約】【課題】録画した映像を視聴している際に、その映像部分の更に詳しい情報を得るために、リモコン、キーボード等の入力装置からワンタッチで映像と関連のあるネット上のＵＲＬを閲覧できる方法を提供すること。【解決手段】ネットワーク上のサーバ側で映像に実時間の放送局コードとタイムコード等を付与し、その放送局コードとタイムコード等の映像に関するＵＲＬ情報と放送局コードとタイムコード等の情報を一つのデータ構成にし、データベース化し、あらかじめＰＣ、ＤＶＤ／ＨＤＤレコーダ、情報家電、携帯電話等の表示装置へ問合せまたはダウンロードしておき視聴者が録画した映像の更に詳細な説明等を確認したい時にリモコン、キーボード等の入力装置をワンタッチすることにより、録画した時間の放送局コードとタイムコード等をキーにその情報のＵＲＬ等を検索し、Ｗｅｂページで詳細な情報を取得する。【選択図】図１
2006053876.tif 000002
【特許請求の範囲】
【請求項１】
パソコン等のコンピュータ又はハードディスクレコーダ、ＤＶＤレコーダ、携帯電話等の録画装置または映像出力装置で録画を視聴している際に、視聴者が付随するリモコン或いはキーボード等で予め決まっているボタンを押すと、視聴している録画ファイルの中に入っている全国の中で位置付けられた放送局コードとタイムコード等を読み出し、映像表示または再生している現在の位置を検出し、その全国の放送局コードとタイムコード等でコンテンツメタデータファイルの中からマッチングした予め映像と関連した内容で作られたデータを抽出し、そのデータの中に記述されている特定のＵＲＬを取り出し、装置の中のブラウザー機能を起動させインターネット上又は装置自身の中からそのＵＲＬのＷｅｂページを検索し、この装置で表示をさせる方法。
【請求項２】
先ず全国の中で位置付けられた放送局コードそして秒単位の時間又は時間と時間との間を示す情報とＵＲＬとをコンテンツメタデータとして一対一に対応させ、ファイル化する方法。
【請求項３】
再生している録画ファイルの現在位置の時間と全国の中で位置付けられた放送局コードから、コンテンツメタデータの内容とマッチングする方法。
【請求項４】
表示されたＷｅｂサイトから、また録画視聴に戻る方法。
【発明の詳細な説明】
【技術分野】
【０００１】本発明は、録画した映像を視聴をしている際に視聴者のワンアクションでコンテンツメタデータ群から検索し、ＵＲＬを導き出し、そのＵＲＬを基にしてインターネット上又は装置自身の中にあるファイルを検索し、ブラウザーによって表示する方法に関する技術。
【背景技術】
【０００２】近年、ブロードバンド、放送、ビデオオンデマンド、携帯電話による録画視聴が急速に普及している。一方で録画だけの視聴では情報が曖昧だったり機能が不足しているので、それを充分にするためにインターネットと併用した情報把握が必要になり、しかもワンタッチで録画視聴からＷｅｂ視聴へ切り換えができる技術が必要になる。
【発明の開示】
【発明が解決しようとする課題】
【０００３】しかしながら、従来はこういった手法が存在せず、映像は映像として視聴され、最近では映像の中でテロップとして映像の内容説明が行なわれたりしている。しかし、映像は時間とともに自動的に次々に消えていく性格のものなので、じっくり内容を理解するまでには至らない。映像でイメージを掴みもっと深く理解したい場合は、複雑な手法をとらずワンタッチで文章情報を同一画面ないしは別の装置の画面に表示できれば、映像のイメージとＷｅｂによる認識により情報の理解度が極めて高くなる。【０００４】しかも、インターネット上のＷｅｂ上の情報なので更に理解度を上げるためにハイパーリンクの機能等を利用し、次々と情報展開をすることができる。録画した映像を誘導媒体にしてその画面の内容をワンタッチでその瞬間特定のＵＲＬによりＷｅｂページに飛び情報出力ができる装置はなかった。【０００５】本発明は、以上のような実情に鑑みてなされたものであり、パソコン等の録画機による映像情報からインターネット上の関連情報Ｗｅｂサイトにワンタッチでリンクすることにより情報の正確性が増し、欲しい情報を的確かつ迅速に把握することを実現できる装置及びソフトウェアを提供することを目的とする。
【課題を解決するための手段】
【０００６】本発明では、予め映像の中の放送局コードとタイムコード等とそれに関連したＵＲＬを予めメタデータとしてメタデータファイルに用意し、録画ファイルで映像を視聴している際にワンタッチで更に詳細な情報をＵＲＬに基づきインターネット上のＷｅｂサイトを検索し、そのサイトを閲覧することができるようにすることを可能にする。【０００７】このようにして一台の装置で録画した映像の視聴からインターネット上の関連するＵＲＬへワンタッチで情報連動し、利用者が所望する映像、インターネット上のテキストを中心にした詳細情報を深く認識することを支援する。【０００８】本発明の方式では、新たなハードウェアや部品はいらず、テレビ機能付パソコンやＨＤＤレコーダ、ＤＶＤレコーダ、携帯電話にこうした機能を実現するソフトウェアのコストだけで付加的に搭載すれば、こうした機能を利用者が活用できる環境を実現できる。【０００９】しかも、メタデータは一度作成すればインターネットサーバー上で配信するので、この機能のソフトウェアを搭載した全てのインターネットユーザーが利用でき、利用者が多くなればなるほどコストが低減できる。【００１０】また本発明では、インターネット端末機にしろテレビ機能付パソコン、ＨＤＤレコーダ、ＤＶＤレコーダ、携帯電話にしろ、ソフトウェアでの機能付加が可能なので既存のインフラと装置で実現できる。【００１１】しかも、この仕組みを活用することにより同一映像に関する利用者間のコミュニケーションが活性化する効果がある。
【発明の実施するための最良の形態】
【００１２】本発明の利用者が６で視聴している映像の所望する画面でリモコン、キーボード、マウス等から決められた特定のボタンを押すことによって映像のその瞬間の放送局コードとタイムコード等から２で作成された同じ放送局コードとタイムコード等とをマッチングし、７でマッチングしたメタデータからＵＲＬ情報等を取得する。
【００１３】８により該当するＵＲＬ等が検出されればブラウザを起動し、そのＵＲＬ等をインターネット等のネット上から探し出し９でヒットしたＵＲＬの内容を表示する。１０で利用者の所望の情報を取得し、また、主にそのルーティン４に戻る。
【００１４】インターネット等のネットワーク上のサーバ側で１で映像に放送局コードとタイムコード等を付け、２でその放送局コードとタイムコード等に関するメタデータを認識技術を利用したり、音声、映像、文字入力または入力で作成したりすることによって放送局コードとタイムコード等とメタデータ、特に特定のＵＲＬ情報を一対にした形で記述し、３その放送局コードとタイムコードとメタデータを一対にした情報を配信するためのネットワーク上にファイル化またはデータベース化しておく。
【００１５】４でＰＣ、ＤＶＤ／ＨＤＤレコーダ、情報家電、携帯電話等の表示装置へ特定または全ての３で予め準備してあるデータファイルまたはデータベースにインターネットを通じて問い合せするかこれらの装置へダウンロードし、６で装置のリモコン、キーボード、マウス等の特定のボタンを利用者が押すことにより、映像の放送局コードとタイムコード等を録画ファイルの中から検出する。
【００１６】検出した放送局コードとタイムコード等によりファイルまたはデータベース内を検索し、１で作成され４でファイル化またはデータベース化したものと放送局コードとタイムコード等とでマッチングし、４の装置内にあるメタデータを取得する。
【００１７】７で該当するものがあれば、そのメタデータ内のＵＲＬを取り出し、８でブラウザーを起動または既に起動されている時はそのままそのＵＲＬに基づきネット上を検索し、利用者はＵＲＬの表示された内容により映像とネット上の情報により映像の意味を更に深く理解することができる効果がある。
【００１８】更にネット上でサーフィンすることにより、商品の購買に結びついたり、具体的な利用者の行動につながることが可能になる。
【図面の簡単な説明】
【００１９】
【図１】本発明の実施形態の利用者が映像から更に深く内容を理解するためにワンタッチでＷｅｂ上の内容を閲覧する方法の概念を説明する説明図である。
【符号の説明】
【００２０】１映像に放送局コードとタイムコード等を付ける。
２放送局コード、タイムコード等に関するメタデータを作成し、特に関連するＵＲＬ情報を記述する。
３上記のメタデータをネットワーク上に配信するためファイル化またはデータベース化しておく。
４ＰＣ、ＤＶＤ／ＨＤＤレコーダ、情報家電、携帯電話等の表示装置へインターネットを通じて問い合せをするかダウンロードして、装置内でファイル化またはデータベース化しておく。
５録画視聴をする
６視聴映像の所望する画面でリモコン、キーボード、マウス等から利用者が特定のボタンを押す。
７押された瞬間の録画ファイルの中の放送局コードとタイムコード等で４のファイルまたはデータベースから検索するかネットワーク上のサーバ側で検索して、押された画面に関するＵＲＬ等をメタデータの中の放送局コードとタイムコード等をキーに検出し、該当するＵＲＬを得る。該当するものがない場合はその旨を表示し、続きの映像を表示する。
８該当するものがあればブラウザを起動し、ネット上のそのＵＲＬで検索する。
９ＵＲＬの内容の表示。
１０ネットサーフィンし４へ戻る。
【図１】
2006053876.tif 000003